(57)【要約】【課題】  ヒューズ付きリレーにおいて、ヒューズが溶断したか否かを目視にて確認可能にするとともに、ヒューズが溶断した際の溶断塵による回路の短絡を防止可能にする。【解決手段】  ヒューズ２４をリレーケース１０、１１の外に配置して、ヒューズ２４が溶断したか否かを目視にて確認可能にし、また、ヒューズ２４が溶断した際の溶断塵による通電回路の短絡を防止する。また、ヒューズ２４を板材とし、且つ第２端子１３および可動側端子２０にヒューズ２４を溶接することにより、ヒューズ２４の設置スペースを小さくしている。【選択図】        図１
2006339067.tif 000002
【特許請求の範囲】
【請求項１】
リレーケース（１０、１１）と、
前記リレーケース（１０、１１）に収納されるとともに、通電時に電磁力を発生する電磁コイル（１４）と、
一端が前記リレーケース（１０、１１）から突出して電気負荷に接続される第１端子（１２）と、
一端が前記リレーケース（１０、１１）から突出して電源に接続される第２端子（１３）と、
前記第１端子（１２）と前記第２端子（１３）とを結ぶ通電回路を構成するとともに、前記リレーケース（１０、１１）に収納されて、前記電磁コイル（１４）の電磁力により吸引される可動接点（２２）と、
前記通電回路を構成するとともに、前記リレーケース（１０、１１）に収納されて、前記可動接点（２２）が接離する固定接点（２１）と、
前記通電回路を構成するとともに、所定値以上の電流が流れたときに溶断するヒューズ（２４）とを備え、
前記ヒューズ（２４）は、前記リレーケース（１０、１１）の外に配置されて、前記通電回路を構成する他の構成部品（１３、２０）に接合されていることを特徴とする電磁継電器。
【請求項２】
前記リレーケース（１０、１１）に装着されて前記ヒューズ（２４）を覆うヒューズケース（２５）を備えることを特徴とする請求項１に記載の電磁継電器。
【請求項３】
前記ヒューズケース（２５）は透明な材料からなることを特徴とする請求項２に記載の電磁継電器。
【請求項４】
前記第１端子（１２）および前記第２端子（１３）は前記リレーケース（１０、１１）の一端側から突出し、
前記ヒューズ（２４）は前記リレーケース（１０、１１）の他端側に配置されていることを特徴とする請求項１ないし３のいずれか１つに記載の電磁継電器。
【発明の詳細な説明】
【技術分野】
【０００１】
本発明は、通電回路の開閉を行う電磁継電器に関するもので、車両に搭載される電磁継電器に好適である。
【背景技術】
【０００２】
従来、ヒューズ付き電磁継電器（以下、リレーという）として、２つの固定接点間を開閉可能にする可動接続片と、この可動接続片を駆動する電磁コイルを備え、可動接続片の一部をヒューズとしたリレーが提案されている（例えば、特許文献１参照）。
【特許文献１】特開２００２−３２４４７８号公報
【発明の開示】
【発明が解決しようとする課題】
【０００３】
しかしながら、特許文献１に記載されたリレーは、ヒューズを兼ねる可動接続片が、それを駆動する電磁コイルとともにリレーケースに収納されるため、ヒューズが溶断したか否かを目視にて確認することができず、また、ヒューズが溶断した際の溶断塵により回路が短絡する恐れがあった。
【０００４】
本発明は上記点に鑑みて、ヒューズ付きリレーにおいて、ヒューズが溶断したか否かを目視にて確認可能にするとともに、ヒューズが溶断した際の溶断塵による回路の短絡を防止可能にすることを目的とする。
【課題を解決するための手段】
【０００５】
上記目的を達成するため、請求項１に記載の発明では、リレーケース（１０、１１）と、リレーケース（１０、１１）に収納されるとともに、通電時に電磁力を発生する電磁コイル（１４）と、一端がリレーケース（１０、１１）から突出して電気負荷に接続される第１端子（１２）と、一端がリレーケース（１０、１１）から突出して電源に接続される第２端子（１３）と、第１端子（１２）と第２端子（１３）とを結ぶ通電回路を構成するとともに、リレーケース（１０、１１）に収納されて、電磁コイル（１４）の電磁力により吸引される可動接点（２２）と、通電回路を構成するとともに、リレーケース（１０、１１）に収納されて、可動接点（２２）が接離する固定接点（２１）と、通電回路を構成するとともに、所定値以上の電流が流れたときに溶断するヒューズ（２４）とを備え、ヒューズ（２４）は、リレーケース（１０、１１）の外に配置されて、通電回路を構成する他の構成部品（１３、２０）に接合されていることを特徴とする。
【０００６】
これによると、ヒューズがリレーケースの外に配置されているため、ヒューズが溶断したか否かを目視にて容易に確認することができる。
【０００７】
また、ヒューズがリレーケースの外に配置されているため、ヒューズが溶断した際の溶断塵による通電回路の短絡を防止することができる。
【０００８】
また、ヒューズは他の構成部品に接合されているため、ヒューズをヒューズ端子に嵌合して装着する場合よりも、ヒューズの設置スペースを小さくすることができる。
【０００９】
請求項２に記載の発明では、請求項１に記載のリレーにおいて、リレーケース（１０、１１）に装着されてヒューズ（２４）を覆うヒューズケース（２５）を備えることを特徴とする。これによると、ヒューズ側からリレーケース内への異物侵入を防止することができる。
【００１０】
請求項３に記載の発明では、請求項２に記載のリレーにおいて、ヒューズケース（２５）は透明な材料からなることを特徴とする。これによると、ヒューズケースをリレーケースに装着したままで、ヒューズが溶断したか否かを目視にて確認することができる。
【００１１】
請求項４に記載の発明では、請求項１ないし３のいずれか１つに記載のリレーにおいて、第１端子（１２）および第２端子（１３）はリレーケース（１０、１１）の一端側から突出し、ヒューズ（２４）はリレーケース（１０、１１）の他端側に配置されていることを特徴とする。
【００１２】
これによると、相手側部材（例えばリレーボックス）に装着される面の反対側にヒューズが配置されるため、ヒューズが溶断したか否かの目視による確認が容易である。
【００１３】
なお、上記各手段の括弧内の符号は、後述する実施形態に記載の具体的手段との対応関係を示すものである。
【発明を実施するための最良の形態】
【００１４】
本発明の一実施形態について説明する。図１は本発明の一実施形態に係るリレーの正面断面図、図２は図１のリレーの左側面断面図、図３は図１のリレーの平面断面図、図４は図１のリレーの下面図、図５は図１のリレーを分解して示す正面断面図、図６（ａ）は図１のリレーにおけるヒューズの正面図、図６（ｂ）は図６（ａ）のヒューズの左側面図、図６（ｃ）は図６（ａ）のヒューズの平面図である。なお、図中の上下方向は、車両等に搭載された状態での姿勢を示している。
【００１５】
図１〜図５において、樹脂よりなる板状のベース１０に、樹脂よりなる有底筒状のケース１１が嵌合されており、ベース１０とケース１１とによって内部に空間（以下、内部空間という）１０ａが形成されている。なお、ベース１０とケース１１とによって、本発明のリレーケースを構成している。
【００１６】
ベース１０には、一端がベース１０から突出して電気負荷（図示せず）に接続される導電金属製の第１端子１２、一端がベース１０から突出して電源（図示せず）に接続される導電金属製の第２端子１３、一端がベース１０から突出するとともに電磁コイル１４に接続された２つのコイル端子１５、１６、さらにはヨーク１７が圧入固定されている。
【００１７】
電磁コイル１４は通電時に電磁力を発生するものであり、その中心穴部に磁性体製の固定鉄心１８が配置されている。また、電磁コイル１４はヨーク１７に固定されている。
【００１８】
ヨーク１７は、磁性体で且つ導電性を有する材料よりなり、電磁コイル１４により誘起された磁束の磁路を構成するとともに、導電金属製の板バネ１９および導電金属製の可動側端子２０を保持する。
【００１９】
第１端子１２における内部空間１０ａ側の端部には、導電金属製の固定接点２１がかしめ固定されている。この固定接点２１に対向して導電金属製の可動接点２２が配置されている。
【００２０】
可動接点２２は板バネ１９にかしめ固定されており、板バネ１９は、可動接点２２が固定接点２１から離れる向きの弾性力を可動接点２２に作用させる。また、板バネ１９には、固定鉄心１８側に吸引される磁性体製の可動鉄片２３がかしめ固定されている。
【００２１】
上記の構成部品のうち、電磁コイル１４、ヨーク１７、固定鉄心１８、板バネ１９、固定接点２１、可動接点２２、および可動鉄片２３は、内部空間１０ａ内に配置されている。一方、第１端子１２、第２端子１３、および２つのコイル端子１５、１６は、ベース１０を貫通して、一部が内部空間１０ａの外に突出している。また、第２端子１３および可動側端子２０は、ケース１１における反ベース側の壁面を貫通して、一部が内部空間１０ａの外に突出している。
【００２２】
そして、第２端子１３と可動側端子２０は、所定値以上の電流が流れたときに溶断するヒューズ２４により、内部空間１０ａの外で接続されている。ヒューズ２４は、導電金属製の板材を所定形状に打ち抜いて所定形状に折り曲げたものであり（詳細後述）、第２端子１３および可動側端子２０に対して、溶接等にて接合されている。これにより、第２端子１３は、ヒューズ２４、可動側端子２０、ヨーク１７、および板バネ１９を介して、可動接点２２に電気的に接続される。
【００２３】
ケース１１における反ベース側には、透明な樹脂よりなる有底筒状のヒューズケース２５が、ヒューズ２４を覆うようにして嵌合されている。
【００２４】
次に、ヒューズ２４について、図６に基づいて説明する。
【００２５】
ヒューズ２４の一端側には、第２端子１３に接合される第１接合部２４１を有し、この第１接合部２４１は、第２端子１３と平行に上下方向に延びる第１接合板部２４１１と、第１接合板部２４１１の下端から垂直に折り曲げられて水平方向に延びる第１支持板部２４１２とを有している。
【００２６】
ヒューズ２４の他端側には、可動側端子２０に接合される第２接合部２４２を有し、この第２接合部２４２は、可動側端子２０と平行に上下方向に延びる第２接合板部２４２１と、第２接合板部２４２１の下端から垂直に折り曲げられて水平方向に延びる第２支持板部２４２２とを有している。
【００２７】
第１接合部２４１と第２接合部２４２間は、平面視においてＳ字状に打ち抜かれた連結部２４３によって連結されている。そして、この連結部２４３の板厚、巾、長さの調整により、ヒューズ２４の電流容量を設定している。
【００２８】
このヒューズ２４を接合する際には、まず、第１接合部２４１が第２端子１３に接触するとともに、第２接合部２４２が可動側端子２０に接触するようにして、ヒューズ２４をケース１１の上面に載せ、次いでプロジェクション溶接等により第１接合板部２４１１と第２端子１３を溶接するとともに、第２接合板部２４２１と可動側端子２０を溶接する。
【００２９】
ヒューズ２４をケース１１の上面に載せた際、第１支持板部２４１２と第２支持板部２４２２とによってヒューズ２４の位置や姿勢が維持されるため、ヒューズ２４の溶接を容易に行うことができる。
【００３０】
上記構成のリレーは、例えばリレーボックスに装着して用いられ、その際には、第１端子１２、第２端子１３、および２つのコイル端子１５、１６が、リレーボックスの雌端子に挿入される。
【００３１】
そして、電磁コイル１４に通電されると、その電磁吸引力により可動鉄片２３が固定鉄心１８に吸引され、可動接点２２が固定接点２１に当接するので、第１端子１２と第２端子１３とを結ぶ通電回路が閉じられる。一方、電磁コイル１４への通電が遮断されると、板バネ１９の弾性力により可動接点２２が固定接点２１から離れるので、第１端子１２と第２端子１３とを結ぶ通電回路が開かれる。
【００３２】
本実施形態では、ヒューズ２４が、内部空間１０ａの外、すなわちケース１１の外に配置されているため、ヒューズ２４が溶断したか否かを目視にて容易に確認することができる。
【００３３】
また、ヒューズ２４がケース１１の外に配置されているため、ヒューズ２４が溶断した際の溶断塵による通電回路の短絡を防止することができる。
【００３４】
また、ヒューズ２４をヒューズケース２５にて覆っているため、ヒューズ２４側からケース１１内への異物侵入を防止することができる。
【００３５】
また、透明なヒューズケース２５を用いているため、ヒューズケース２５をケース１１に装着したままで、ヒューズ２４が溶断したか否かを目視にて確認することができる。
【００３６】
また、相手側部材（例えばリレーボックス）に装着される面の反対側にヒューズ２４が配置されるため、ヒューズ２４が溶断したか否かの目視による確認が容易である。
【００３７】
また、ヒューズ２４を板材とし、且つ第２端子１３および可動側端子２０にヒューズ２４を溶接しているため、ヒューズをヒューズ端子に嵌合して装着する場合よりも、ヒューズ２４の設置スペースを小さくすることができる。したがって、ヒューズ２４をリレーに一体化する際の、リレーの高さ方向の寸法増加を少なくすることができる。
【図面の簡単な説明】
【００３８】
【図１】本発明の一実施形態に係るリレーの正面断面図である。
【図２】図１のリレーの左側面断面図である。
【図３】図１のリレーの平面断面図である。
【図４】図１のリレーの下面図である。
【図５】図１のリレーを分解して示す正面断面図である。
【図６】（ａ）は図１のリレーにおけるヒューズの正面図、（ｂ）は（ａ）のヒューズの左側面図、（ｃ）は（ａ）のヒューズの平面図である。
【符号の説明】
【００３９】
１０…リレーケースを構成するベース、１１…リレーケースを構成するケース、１２…第１端子、１３…第２端子、１４…電磁コイル、２１…固定接点、２２…可動接点、２４…ヒューズ。
【図１】
2006339067.tif 000003
【図２】
2006339067.tif 000004
【図３】
2006339067.tif 000005
【図４】
2006339067.tif 000006
【図５】
2006339067.tif 000007
【図６】
2006339067.tif 000008